(57)【要約】【課題】ネットワーク上の周辺機器において構成または能力に変更が生じた場合、該当する機器の外観情報をデータより生成して表示する際、周辺機器の構成情報または能力情報を直接取得することなく、現在の外観情報を効率的に形成する。【解決手段】ネットワーク周辺機器２の最大構成時の画像情報を通信側端末機器３に保持し、ネットワーク周辺機器２からは、最大構成時の構成要素リストより現在の構成要素を差し引いた現在の構成外要素のリストとして、構成外要素の座標、または白画像データ等を通信側端末機器３に送信することにより、通信量を軽減する。通信側端末機器３では、最大構成時の構成要素リスト及び現在の構成外要素のリストに基づき、現在の構成または能力を示す画像情報を作成し、表示部２３に表示する。【選択図】図２
2006178911.tif 000002
【特許請求の範囲】
【請求項１】
ローカルエリアネットワークに接続されたネットワーク周辺機器の現在の構成または能力を示す画像情報を表示するグラフィカルイメージの表示方法であって、
前記ネットワーク周辺機器より現在の構成または能力と一致しない情報（ａ）、または該現在の構成または能力と一致しない情報（ａ）及び最大構成時の画像情報（ｂ）を取得する取得工程と、
取得した前記情報に基づいて前記ネットワーク周辺機器の構成または能力に対応する画像情報を形成する生成工程を有し、
要求に応じて前記ネットワーク周辺機器の現在の構成または能力を示す画像情報を表示することを特徴とするグラフィカルイメージの表示方法。
【請求項２】
請求項１に記載のグラフィカルイメージの表示方法において、
前記情報を取得する取得工程は、前記現在の構成または能力と一致しない情報（ａ）として、前記ネットワーク周辺機器の現在の構成または能力と一致しない構成を示すＩＤのリストを取得し、
前記画像情報を形成する生成工程は、前記ＩＤによって示される画像情報上の該当箇所をＤＬＬ内部に保持している最大構成時の画像情報（ｂ）、または前記ネットワーク周辺機器から取得した前記最大構成時の画像情報（ｂ）に対して、削除もしくは白画像を生成して合成することにより、現在の構成または能力を示す画像情報を形成することを特徴とするグラフィカルイメージの表示方法。
【請求項３】
請求項１に記載のグラフィカルイメージの表示方法において、
前記情報を取得する取得工程は、前記現在の構成または能力に一致しない情報（ａ）として、前記ネットワーク周辺機器の現在の構成または能力に一致しない構成または能力（構成外要素）に対応した領域を、不足なく含むような１または複数の矩形領域の各頂点の集合のリストとして取得し、
前記画像情報を形成する生成工程は、通信側端末機器において（１）取得した前記各頂点の情報を元に白画像情報を形成し、ＤＬＬ内部に保存している最大構成時の画像情報（ｂ）と合成するか、または（２）前記各頂点の情報を元に構成される矩形領域を、前記ＤＬＬ内部に保存している最大構成時の画像情報（ｂ）より削除することにより、前記ネットワーク周辺機器の現在の構成または能力を示す画像情報を形成することを可能とすることを特徴とするグラフィカルイメージの表示方法。
【請求項４】
請求項１に記載のグラフィカルイメージの表示方法において、
前記情報を取得する取得工程は、現在の構成または能力に一致しない情報（ａ）として、該現在の構成または能力に一致しない情報（ａ）に対応した領域を不足なく含むような白画像情報を取得し、
前記画像情報を形成する生成工程は、通信側端末機器が取得した前記白画像情報と、ＤＬＬ内部に保存している最大構成時の画像情報（ｂ）と合成することにより、前記ネットワーク周辺機器の現在の構成または能力を示す画像情報を形成することを特徴とするグラフィカルイメージの表示方法。
【請求項５】
請求項１に記載のグラフィカルイメージの表示方法において、
前記情報を取得する取得工程は、現在の構成または能力に一致しない情報（ａ）として、前記最大構成時の画像情報（ｂ）上に、現在の構成が表現できる境界を構築する境界情報（ａ１）及び領域指示情報（ａ２）を取得し、前記境界情報（ａ１）により前記最大構成時の画像情報（ｂ）上に不要な画像情報を区分けするとともに、前記領域指示情報（ａ２）により前記区分けされた領域のうち不要な領域を決定し、
前記画像情報を形成する生成工程は、決定された前記不要な領域をＤＬＬ内部に保存している前記最大構成時の画像情報（ｂ）から削除するか、または前記不要な領域に対応する白画像情報を形成し、合成することにより前記ネットワーク周辺機器の現在の構成または能力を示す画像情報を形成することを特徴とするグラフィカルイメージの表示方法。
【請求項６】
請求項１に記載のグラフィカルイメージの表示方法において、
前記情報を取得する取得工程は、現在の構成または能力に一致しない情報（ａ）として、前記最大構成時の画像情報（ｂ）上に、現在の構成が表現できる境界を構築する境界情報（ａ１）及び必須構成要素情報（ａ３）を取得し、前記境界情報（ａ１）により前記最大構成時の画像情報（ｂ）上に画像情報を区分けするとともに、前記必須構成要素情報と比較し、前記区分けされた領域のうち、前記必須構成要素を含まない領域を不要な領域として決定し、前記領域指示情報（ａ２）により前記区分けされた領域のうち不要な領域を決定し、
前記画像情報を形成する生成工程は、決定された前記不要な領域をＤＬＬ内部に保存している前記最大構成時の画像情報（ｂ）から削除するか、または前記不要な領域に対応する白画像情報を形成し、合成することにより前記ネットワーク周辺機器の現在の構成及び能力を示す画像情報を形成することを特徴とするグラフィカルイメージの表示方法。
【請求項７】
請求項１乃至６のいずれかに記載されたグラフィカルイメージの表示方法を実行することを特徴とするプログラム。
【請求項８】
請求項７に記載されたグラフィカルイメージの表示方法を実行するプログラムを記録したことを特徴とする記録媒体。
【発明の詳細な説明】
【技術分野】
【０００１】
本発明は、グラフィカルイメージの表示方法、プログラム及び記録媒体に関し、ネットワーク上の周辺機器の構成情報を周辺機器から取得し、機器の構成または能力に変更が生じた場合に、該当する機器の外観情報をデータより形成するグラフィカルイメージの表示方法において、構成情報または能力情報を直接取得することなく、機器の外観情報を効率的に形成することができる、グラフィカルイメージの表示方法、該表示方法を実行させるプログラム及び該プログラムを記録した記録媒体に関する。
【背景技術】
【０００２】
ローカルエリアネットワーク（ＬＡＮ）の発展とともに、コンピュータ業界はネットワーク上の周辺機器をモニタリングし、その場にいなくてもこれら周辺機器の使い勝手を向上させるようなアプリケーションの開発に力を注いできた。まず、ネットワーク上に接続されており、使用可能なデバイスを探索するようなアプリケーションの開発がなされ、次いで、これら探索されたデバイスに対し、現在の情報を取得するようなアプリケーションの開発がなされ、デバイスマネジメント分野として多数のアプリケーションの開発がなされている。これらデバイスマネジメント分野のアプリケーションにおいて、ユーザが認識し難いようなデジタルデータ（ＩＰアドレス、コンピュータ名等）による一覧だけでは示されている装置がどれであるかは認識することが難しく、また多数あるようなこれら装置の状態を一つ一つ記憶しているような管理者も少ない。
【０００３】
このため、ネットワーク経由で現在の装置の状態を表示することが重要な課題のひとつであり、また、それが数時間前のデータ等ではなく、正しく現在の構成及び能力と一致することが求められる。
このような要求に対し、特許文献１においては、現在のプリンタ装置の状態に応じた画像データをホストに転送する「画像形成装置」が開示されている。この画像形成装置では、画像データをプリンタ装置内に持ち、プリンタ装置側でユニット単位の画像の合成を行いホスト側に転送するか、または、プリンタ装置内に持っている複数の画像のうちのどれかをホスト側に転送する。
【０００４】
また、特許文献２においては、ネットワーク上の周辺機器に関して、その構成または能力に変化が生じた際に、この変化に応じ動的に表示を行う「ユーザインターフェース表示方法」が開示されている。このユーザインターフェース表示方法では、現在の構成及び能力の情報の問い合わせを発行し、その結果を受信すると、この情報に基づいてライブラリ側で画像情報を形成し表示する。
【特許文献１】特開２００２−１５７１０６号公報
【特許文献２】特開平９−２６８６７号公報
【発明の開示】
【発明が解決しようとする課題】
【０００５】
特許文献１に開示された画像形成装置においては、ネットワーク周辺機器を構成する要素すべての画像情報をネットワークで経由してやり取りするため、ネットワークに対して一定の負荷をかけていた。したがって、本発明は、最大構成時の画像情報をＰＣ側に保持し、最大構成時の構成要素リストより、現在の構成要素を差し引いた現在の構成外要素のリストとして、構成外要素の座標または白画像データ等として送受信することにより、通信量を軽減することを目的とする。
【０００６】
また、特許文献２に開示されたユーザインターフェース表示方法においては、現在の構成及び能力の情報に基づいて照会を行い、この情報に基づいてライブラリ側で画像情報の構築を行うものであるが、複数の要素からなる構成の場合に、これらを一つ一つ処理する必要があり、処理量が多い。
【０００７】
したがって、本発明は、現在の構成及び能力情報と一致しない情報を、座標データや白画像データとして取得することにより複数の構成に対して一括で処理することを可能とし、これらに対する処理を軽減することを目的とする。
【０００８】
さらに、最大構成時の画像情報を周辺機器側より取得する場合には、周辺機器に依存するような情報はＰＣ側に保持することにより、汎用的に使用することができることを目的とする。
【課題を解決するための手段】
【０００９】
本発明の第１の技術手段は、ローカルエリアネットワークに接続されたネットワーク周辺機器の現在の構成及び能力を示す画像情報を表示するグラフィカルイメージの表示方法であって、前記ネットワーク周辺機器より現在の構成または能力と一致しない情報（ａ）、または該現在の構成または能力と一致しない情報（ａ）及び最大構成時の画像情報（ｂ）を取得する取得工程と、取得した前記情報に基づいて前記ネットワーク周辺機器の構成または能力に対応する画像情報を形成する生成工程を有し、要求に応じて前記ネットワーク周辺機器の現在の構成または能力を示す画像情報を表示することを特徴とする。ここで“構成”とは、全体の最小構成であるところの必須構成部分、または全体の最小構成であるところの必須構成部分と追加構成である１または複数の構成部分の組み合わせにより表現されるものを意味し、“能力”とは、現在の構成によって使用可能なネットワーク周辺機器の機能を意味する。
【００１０】
第２の技術手段は、第１の技術手段のグラフィカルイメージの表示方法において、前記情報を取得する取得工程は、前記現在の構成または能力と一致しない情報（ａ）として、前記ネットワーク周辺機器の現在の構成または能力と一致しない構成を示すＩＤのリストを取得し、前記画像情報を形成する生成工程は、前記ＩＤによって示される画像情報上の該当箇所をＤＬＬ内部に保持している最大構成時の画像情報（ｂ）、または前記ネットワーク周辺機器から取得した前記最大構成時の画像情報（ｂ）に対して、削除もしくは白画像を生成して合成することにより、現在の構成または能力を示す画像情報を形成することを特徴とする。
【００１１】
第３の技術手段は、第１の技術手段のグラフィカルイメージの表示方法において、前記情報を取得する取得工程は、前記現在の構成または能力に一致しない情報（ａ）として、前記ネットワーク周辺機器の現在の構成または能力に一致しない構成または能力（構成外要素）に対応した領域を、不足なく含むような１または複数の矩形領域の各頂点の集合のリストとして取得し、前記画像情報を形成する生成工程は、通信側端末機器において（１）取得した前記各頂点の情報を元に白画像情報を形成し、ＤＬＬ内部に保存している最大構成時の画像情報（ｂ）と合成するか、または（２）前記各頂点の情報を元に構成される矩形領域を、前記ＤＬＬ内部に保存している最大構成時の画像情報（ｂ）より削除することにより、前記ネットワーク周辺機器の現在の構成または能力を示す画像情報を形成することを可能とすることを特徴とする。
【００１２】
第４の技術手段は、第１の技術手段のグラフィカルイメージの表示方法において、前記情報を取得する取得工程は、現在の構成または能力に一致しない情報（ａ）として、該現在の構成または能力に一致しない情報（ａ）に対応した領域を不足なく含むような白画像情報を取得し、前記画像情報を形成する生成工程は、通信側端末機器が取得した前記白画像情報と、ＤＬＬ内部に保存している最大構成時の画像情報（ｂ）と合成することにより、前記ネットワーク周辺機器の現在の構成または能力を示す画像情報を形成することを特徴とする。
【００１３】
第５の技術手段は、第１の技術手段のグラフィカルイメージの表示方法において、前記情報を取得する取得工程は、現在の構成または能力に一致しない情報（ａ）として、前記最大構成時の画像情報（ｂ）上に、現在の構成が表現できる境界を構築する境界情報（ａ１）及び領域指示情報（ａ２）を取得し、前記境界情報（ａ１）により前記最大構成時の画像情報（ｂ）上に不要な画像情報を区分けするとともに、前記領域指示情報（ａ２）により前記区分けされた領域のうち不要な領域を決定し、前記画像情報を形成する生成工程は、決定された前記不要な領域をＤＬＬ内部に保存している前記最大構成時の画像情報（ｂ）から削除するか、または前記不要な領域に対応する白画像情報を形成し、合成することにより前記ネットワーク周辺機器の現在の構成または能力を示す画像情報を形成することを特徴とする。
【００１４】
第６の技術手段は、第１の技術手段のグラフィカルイメージの表示方法において、前記情報を取得する取得工程は、現在の構成または能力に一致しない情報（ａ）として、前記最大構成時の画像情報（ｂ）上に、現在の構成が表現できる境界を構築する境界情報（ａ１）及び必須構成要素情報（ａ３）を取得し、前記境界情報（ａ１）により前記最大構成時の画像情報（ｂ）上に画像情報を区分けするとともに、前記必須構成要素情報と比較し、前記区分けされた領域のうち、前記必須構成要素を含まない領域を不要な領域として決定し、前記領域指示情報（ａ２）により前記区分けされた領域のうち不要な領域を決定し、前記画像情報を形成する生成工程は、決定された前記不要な領域をＤＬＬ内部に保存している前記最大構成時の画像情報（ｂ）から削除するか、または前記不要な領域に対応する白画像情報を形成し、合成することにより前記ネットワーク周辺機器の現在の構成または能力を示す画像情報を形成することを特徴とする。
【００１５】
第７の技術手段は、第１乃至６のいずれかの技術手段のグラフィカルイメージの表示方法を実行するプログラムであることを特徴とする。
【００１６】
第８の技術手段は、第７の技術手段のグラフィカルイメージの表示方法を実行するプログラムを記録した記録媒体であることを特徴とする。
【発明の効果】
【００１７】
本発明によれば、ネットワーク上の周辺機器の構成情報または能力情報に関連する情報を周辺機器から取得し、機器の構成または能力に変更が生じた場合に、該当する機器の外観情報をデータより形成するグラフィカルイメージの表示方法において、構成情報または能力情報を直接取得することなく、効率的に形成することが可能となる。
【００１８】
また、複雑に細分化された構成要素を持つようなネットワーク周辺機器に対して、一般的な構成要素が半数より多くなる状況においては、現在の構成要素と一致する情報を取得する場合よりも取得するべき情報量が少なく、また画像合成・削除等の処理回数が少なくてすむ。また、ネットワーク周辺機器より最大構成時の画像情報も取得するような構成においては、通信側端末機器にて各々のネットワーク周辺機器に対応する画像情報を保持する必要がなく、汎用的に使用することが可能になる。
【００１９】
また、ネットワーク周辺機器の最大構成時の画像情報をネットワーク周辺機器より直接取得することに比べると、各頂点の情報のみを取得するため、情報量が少なくなる。また、現在の構成外要素に対応する領域は、複数の構成外要素を含むような領域として一括指定することも可能であるため、複数回の合成処理を一括で処理することが可能になり、工程を削減することが可能になる。
【００２０】
また、画像領域の一部を転送すること、及び画像そのものが白一色であることによるデータ容量の軽減により、ネットワーク周辺機器の最大構成時の画像情報よりは情報量が少なくなるため、取得するべき情報量が少なくてすむ。また、現在の構成外要素に対応する領域は、複数の構成外要素を含むような領域として一括指定することも可能であるため、複数回の合成処理を一括で処理することが可能になり、処理回数を削減することが可能になる。
【００２１】
また、複雑な領域を一括で領域として指定することが可能であり、一括処理することにより、画像合成または削除等の回数を削減することが可能になる。
【発明を実施するための最良の形態】
【００２２】
本発明は、ネットワーク上の周辺機器において構成または能力に変更が生じた場合、通信側端末機器において、該当する機器の外観情報を周辺機器より取得したデータより生成して表示する際、周辺機器の構成情報または能力情報を示すデータを直接取得するのではなく、最大構成時の構成要素リストより現在の構成要素を差し引いた現在の構成外要素のデータを取得することにより、通信量を軽減し、現在の外観情報を効率的に形成することを目的とし、そのための構成は、通信側端末機器がネットワーク周辺機器より現在の構成または能力と一致しない情報（ａ）、または該現在の構成または能力と一致しない情報（ａ）及び最大構成時の画像情報（ｂ）を取得する取得工程と、取得した前記情報に基づいて前記ネットワーク周辺機器の構成または能力に対応する画像情報を形成する生成工程を有し、要求に応じて前記ネットワーク周辺機器の現在の構成または能力を示す画像情報を表示することを特徴とするものである。
【００２３】
図１は、本発明が適用されるシステムを示す全体図である。
ローカルエリアネットワーク（ＬＡＮ）１にネットワーク周辺機器２及び通信側端末機器３がそれぞれ接続されており、通信側端末機器３はＬＡＮ１を経由せず、直接ディスプレイ４と接続されているものとする。
【００２４】
図２は、本発明が適用されるシステムを構成するネットワーク周辺機器及び通信側端末機器の構成を詳細に示す全体図である。
図２において、通信側端末機器３は内部にＣＰＵ１１、及び表示部２３の表示制御部２２、内部記憶領域としてのＲＡＭ１５、ＲＯＭ１６、アプリケーション１８とＤＬＬ１９を保持するＨＤＤ１７、ＬＡＮ１との接続を行うインターフェース（Ｉ／Ｆ）２４、とを備えている。また、図２に示す表示部２３は、図１ではディスプレイ４に相当する。
【００２５】
ネットワーク周辺機器２は、少なくとも図２に示されるＣＰＵ３１、情報保持部３５及び通信側端末機器３との接続を行うインターフェース（Ｉ／Ｆ）４０を備えている。ここで、情報保持部３５は、その内部に最大構成時の画像情報３６、白画像情報３７、構成情報３８、構成要素テーブル３９を備えている。
【００２６】
図４は、ネットワーク周辺機器が最大構成される状態を示す図であり、ネットワーク周辺機器２の全ての構成要素はこの図上に示されている。
表１は、図４に示す構成部分（１）〜（６）のＩＤと領域の対応関係を示す構成要素テーブルであり、表２は、表１に示す領域の頂点座標を示す表である。
例えば、ネットワーク周辺機器２がプリンタ、ファクシミリ、コピー等の機能を持つ複合機である場合、
（１）にて示される構成部分は、最小必須構成に当たる本体、
（２）にて示される構成部分は、追加構成部分に当たる給紙トレイユニット、
（３）にて示される構成部分は、追加構成部分に当たる両面給紙ユニット、
（４）にて示される構成部分は、追加構成部分に当たる大容量給紙トレイ、
（５）にて示される構成部分は、追加構成部分に当たる両面ユニット、
（６）にて示される構成部分は、サドルフィニッシャー等である。
【００２７】
【表１】
2006178911.tif 000003
【００２８】
【表２】
2006178911.tif 000004
【００２９】
図５は、ネットワーク周辺機器の現在の構成状態を示す図であり、現在のネットワーク周辺機器２の構成要素のみが示されている。
図５によれば、現在のネットワーク周辺機器２は、本体（１）に給紙トレイユニット（２）、両面給紙ユニット（３）、大容量給紙トレイ（４）の各構成部分を備えていることが示されている。
【実施例１】
【００３０】
実施例１のグラフィカルイメージの表示方法における全体のフローについて説明する。
実施例１のグラフィカルイメージの表示方法において、現在の構成とは、最大構成が図４にて示されるネットワーク周辺機器において、図５に示される（１）〜（４）の各構成部分からなる構成である。
ＬＡＮ１に接続されたネットワーク周辺機器２は、自身の構成または能力のそれぞれに対応する画像情報のテーブル３９を自身の情報保持部３５に有しており、ネットワーク周辺機器２のＣＰＵ３１の構成判断部３４により、現在の構成または能力に一致しない情報（ａ）、ネットワーク周辺機器２の最大構成時の画像情報（ｂ）は、ネットワーク周辺機器２の情報保持部３５に保管されている。なお、現在の構成または能力に一致しない情報（ａ）とは、こればかりでなく、現在の構成または能力に一致しない情報に類する情報（ａ′）も含むものである。
【００３１】
そして、本発明において“構成”とは、全体の最小構成であるところの必須構成部分、または全体の最小構成であるところの必須構成部分と追加構成である１または複数の構成部分の組み合わせにより表現されるものとし、“能力”とは、現在の構成によって使用可能なネットワーク周辺機器の機能とする。
【００３２】
ここで、通信側端末機器３のＩ／Ｆ２４からＬＡＮ１を経由し、ネットワーク周辺機器２のＩ／Ｆ４０からネットワーク周辺機器２の情報保持部３５より、構成情報３８を取得する。（ここで、構成情報３８については、後ほど各実施例に基づいて個別に説明する。）または、ネットワーク周辺機器２の情報保持部３５より、構成情報３８及び最大構成時の画像情報３６を取得してもよい。次いで、通信側端末機器３では、取得したこれらの情報によりＣＰＵ１１で各種処理（後ほど個別に説明する。）を行い、現在の構成または能力に一致する画像情報を構築し、表示制御部２２を介して表示部２３であるディスプレイ４に表示する。
【００３３】
図３は、実施例１のグラフィカルイメージの表示方法を示すフローチャートである。
本実施例では、ネットワーク周辺機器２の構成は図５にて示されるものとする。このとき、ネットワーク周辺機器２は、現在の構成または能力に一致しない情報（に類する情報）（ａ）として、図４に示される最大構成図と図５に示される現在の構成図から判断された、構成外要素のＩＤリストを構成情報３８として保持しているものとする。
表３は、構成外要素のＩＤリストを示す。
【００３４】
【表３】
2006178911.tif 000005
【００３５】
図３に示すフローチャートによると、（ステップＳ１）で通信側端末機器３はＩ／Ｆ２４からＬＡＮ１を経由してネットワーク周辺機器２の情報保持部３５より、現在の構成または能力に一致しない情報（に類する情報）（ａ）として、表３に示す構成外要素のＩＤリストを取得する。（ステップＳ２）では通信上のエラー等を判定し、表３に示す構成外要素のＩＤリストが完全に取得できたか否か確認する。取得できていない場合には、通信エラーとして処理を行い終了する。取得できた場合には、（ステップＳ３）にて、取得した構成外要素のＩＤリストを通信側端末機器３のＲＡＭ１５に記憶する。
【００３６】
（ステップＳ４）にて通信側端末機器３のＲＡＭ１５に保持された、表３に示すＩＤリストの要素のうちひとつを取得し、（ステップＳ５）にてこのＩＤ番号に対応する領域情報を通信側端末機器３のＨＤＤ１７内部に保存された表１に示される構成要素テーブル２１より取得し、（ステップＳ６−ａ）にて通信側端末機器３のＨＤＤ１７のＤＬＬ１９に保持されている最大構成時の画像情報２０より該当箇所を削除する、または（ステップＳ６−ｂ）にて、通信側端末機器３のＣＰＵ１１の白画像形成部１４にて該当する領域の白画像情報を生成し、（ステップＳ６−ｃ）にて合成する。（ステップＳ７）にて、（ステップＳ４）から（ステップＳ６）をＩＤ番号リストのすべてについて完了されているか判断し、完了するまで繰り返す。結果として生成された画像情報を、通信側端末機器３の表示制御部２２より表示部２３に送信し、表示する。
【実施例２】
【００３７】
実施例２のグラフィカルイメージの表示方法における全体のフローについて説明する。
本実施例では、ネットワーク周辺機器２の現在の構成は図５にて示されるものとする。
図６は、実施例２において、最大構成時の画像から画像が削除される様子を示す図であり、図７は、実施例２において、削除される画像を含む矩形領域の各頂点を示す図である。
このとき、ネットワーク周辺機器２は現在の構成または能力に一致しない情報（に類する情報）（ａ）として、図４、図５、表１及び表２から判断される、表４に示す構成外要素の範囲リスト表を、構成情報３８として保持しているものとする。実施例２における構成は図５で示されるので、削除されるべき構成は図６に示されるように（５）及び（６）の領域の箇所となる。このとき、構成外要素を複数含むような範囲を図７に示すように決めてもよい。ここで、図７に示す構成外要素を複数含むような範囲は、表５に示す領域の座標によって決められる。
【００３８】
【表４】
2006178911.tif 000006
【００３９】
【表５】
2006178911.tif 000007
【００４０】
図９は、実施例２のグラフィカルイメージの表示方法を示すフローチャートである。
図９のフローチャートによると、（ステップＳ８）  にて、通信側端末機器３はＩ／Ｆ２４からＬＡＮ１を経由してネットワーク周辺機器２の情報保持部３５より、現在の構成及び能力に一致しない情報（に類する情報）（ａ）として、表４に示す構成外要素の範囲リストを取得する。（ステップＳ９）では、通信上のエラー等を判定し、表４に示す構成外要素の範囲リストが完全に取得できたか確認する。取得できていない場合には、通信エラーとして処理を行い、終了する。取得できた場合には、（ステップＳ１０）にて、取得した構成要素の範囲リストを通信側端末機器３の内部記憶（ＲＡＭ１５）に記憶する。
【００４１】
（ステップＳ１１）にて、ＲＡＭ１５に保持された表４の構成外要素の範囲リストのうち一つの範囲を取得し、（ステップＳ１２−ａ）にて前記取得した範囲を通信側端末機器３のＨＤＤ１７のＤＬＬ１９に保持されている最大構成時の画像情報２０より削除する。または、（ステップＳ１２−ｂ）にて、通信側端末機器のＣＰＵ１１の白画像形成部１４にて該当する領域の白画像情報を生成し、（ステップＳ１２−ｃ）にて、通信側端末機器のＨＤＤ１７のＤＬＬ１９に保持されている最大構成時の画像情報２０と合成する。
図８は、最大構成時の画像情報と白画像情報を合成した画像を示す図である。
【００４２】
（ステップＳ１３）にて、（ステップＳ１１）から（ステップＳ１２）を表４に示す範囲リストのすべてについて完了されているか判断し、完了するまで繰り返す。結果として生成された画像情報を、通信側表示制御部２２より表示部２３に送信し、表示する。
【実施例３】
【００４３】
実施例３のグラフィカルイメージの表示方法における全体のフローについて説明する。
図１０は、実施例３のグラフィカルイメージの表示方法を示すフローチャートである。
本実施例では、ネットワーク周辺機器２の現在の構成は図５にて示されるものとする。このとき、ネットワーク周辺機器２は、現在の構成または能力に一致しない情報（に類する情報）（ａ）として、図４、図５、表１及び表２から判断される構成外要素の範囲に対し、ネットワーク周辺機器２に備えるＣＰＵ３１の白画像形成部３３により、白画像を作成し、情報保持部３５に白画像情報３７として保存し、表６に示す白画像情報のリストを、構成情報３８として保持しているものとする。本実施例におけるネットワーク周辺機器２の構成は図５で示されるので、削除されるべき構成は図６に示されるように（５）及び（６）の領域の箇所となる。このとき、構成外要素の範囲として、図７に示す構成外要素を複数含むような範囲として決めてもよい。
【００４４】
【表６】
2006178911.tif 000008
【００４５】
図１０のフローチャートによると、（ステップＳ１４）にて、通信側端末機器３はＩ／Ｆ２４からＬＡＮ１を経由してネットワーク周辺機器２の情報保持部３５より、現在の構成または能力に一致しない情報（に類する情報）（ａ）として、表６に示す構成外要素の白画像情報リストを取得する。（ステップＳ１５）では、通信上のエラー等を判定し、表６の構成外要素の白画像情報リストが完全に取得できたか確認する。取得できていない場合には、通信エラーとして処理を行い、終了する。取得できた場合には、（ステップＳ１６）にて、取得した構成要素の白画像情報リストを通信側端末機器３のＲＡＭ１５に記憶する。
【００４６】
（ステップＳ１７）にてＲＡＭ１５に保持された表６の白画像情報リストのうち１つの白画像情報を取得し、白画像を情報保持部３５の白画像情報３７から取得する。（ステップＳ１８）で取得した白画像を通信側端末機器３のＨＤＤ１７のＤＬＬ１９に保持されている最大構成時の画像情報２０と合成する。（ステップＳ１９）にて、（ステップＳ１７）から（ステップＳ１８）を表６の白画像情報リストのすべてについて完了されているか判断し、完了するまで繰り返す。結果として生成された画像情報を、通信側表示制御部２２より表示部２３に送信し、表示する。
【実施例４】
【００４７】
実施例４のグラフィカルイメージの表示方法における全体のフローについて説明する。
図１１は、実施例４のグラフィカルイメージの表示方法を示すフローチャートである。
実施例４のグラフィカルイメージの表示方法では、ネットワーク周辺機器２の現在の構成は図５にて示されるものとする。このとき、ネットワーク周辺機器２は、現在の構成または能力に一致しない情報（に類する情報）（ａ）として、図１２に対応する表７で示される境界情報（ｐ１２及びｐ１３）及び領域指示情報としての領域指定点（ｐ１４）を構成情報３８として、情報保持部３５に保持しているものとする。
【００４８】
【表７】
2006178911.tif 000009
【００４９】
本実施例における構成は図５で示されるので、削除されるべき構成は図６に示されるのと同様に（５）及び（６）の箇所となる。このとき、（５）及び（６）の箇所以外を完全に分割可能な境界をｐ１２及びｐ１３にて構成する。また、本境界の決定方法は必ずしも一意に決まるものではない。
【００５０】
図１１のフローチャートによると、（ステップＳ２０）にて、通信側端末機器３はＩ／Ｆ２４からＬＡＮ１を経由してネットワーク周辺機器２の情報保持部３５より、現在の構成または能力に一致しない情報（に類する情報）（ａ）として、表７に示す境界情報リストを取得する。（ステップＳ２１）では、通信上のエラー等を判定し、表７の境界情報リストが完全に取得できたか確認する。取得できていない場合には、通信エラーとして処理を行い、終了する。取得できた場合には、（ステップＳ２２）にて、取得した境界情報リストを通信側端末機器３のＲＡＭ１５に記憶する。
【００５１】
（ステップＳ２３）にてＲＡＭ１５に保持された表７の境界情報リストのうち一つを取得し、（ステップＳ２４）にて境界情報及び領域指定点から、境界情報により分割される領域のうち、領域指定点を含む領域を不要な領域として特定する。次いで、（ステップＳ２５−ａ）にて特定された不要な領域を通信側端末機器３のＨＤＤ１７のＤＬＬ１９に保持されている最大構成時の画像情報２０から削除する、もしくは（ステップＳ２５−ｂ）にて、前記特定された領域に対する白画像を、通信側端末機器３のＣＰＵ１１の白画像形成部１４により生成し、（ステップＳ２５−ｃ）にて通信側端末機器３のＨＤＤ１７のＤＬＬ１９に保持されている最大構成時の画像情報２０と合成する。（ステップＳ２６）にて、前記（ステップＳ２３）から（ステップＳ２５）を表７の境界情報リストのすべてについて完了されているか判断し、完了するまで繰り返す。結果として生成された画像情報を、通信側表示制御部２２より表示部２３に送信し、表示する。
【実施例５】
【００５２】
実施例５のグラフィカルイメージの表示方法について説明する。
本実施例のグラフィカルイメージの表示方法では、ネットワーク周辺機器２の現在の構成は図５にて示されるものとする。このとき、ネットワーク周辺機器２は、現在の構成または能力に一致しない情報（に類する情報）（ａ）として、図１２に対応する境界情報及び図１４に示される必須構成要素情報の組を構成情報３８として、情報保持部３５に保持しているものとする。
【００５３】
図１２、図１３は、現在の構成または能力に一致しない情報が境界情報によって示されている様子を示す図である。
本実施例における構成は図５で示されるので、削除されるべき構成は図６に示されるように（５）及び（６）の領域の箇所となる。このとき、（５）及び（６）の領域の箇所と、それ以外を完全に分割可能な境界をｐ１２及びｐ１３にて構成する。ここで、図１２、図１３に示すように分割された領域に対して、必須構成要素を含まない領域を不要な領域として判断する。また、本境界の決定方法は必ずしも一意に決まるものではない。
【００５４】
実施例５のグラフィカルイメージの表示方法における全体のフローは、前記した図１１に示すフローチャートに従う。
（ステップＳ２０）にて取得する情報は、境界情報及び、図１２、図１３において（１）で示される必須構成要素情報である。（ステップＳ２４）における判断は、前述の通り必須構成要素を含まない領域とする。（ステップＳ２５）以降のフローは前記した図１１のフローに従う。
【図面の簡単な説明】
【００５５】
【図１】本発明が適用されるシステムを示す全体図である。
【図２】本発明が適用されるシステムを構成するネットワーク周辺機器及び通信側端末機器の構成を詳細に示す全体図である。
【図３】実施例１のグラフィカルイメージの表示方法を示すフローチャートである。
【図４】ネットワーク周辺機器が最大構成される状態を示す図である。
【図５】ネットワーク周辺機器の現在の構成状態を示す図である。
【図６】実施例２において、最大構成時の画像から画像が削除される様子を示す図である。
【図７】実施例２において、削除される画像を含む矩形領域の各頂点を示す図である。
【図８】最大構成時の画像情報と白画像情報を合成した画像を示す図である。
【図９】実施例２のグラフィカルイメージの表示方法を示すフローチャートである。
【図１０】実施例３のグラフィカルイメージの表示方法を示すフローチャートである。
【図１１】実施例４のグラフィカルイメージの表示方法を示すフローチャートである。
【図１２】現在の構成または能力に一致しない情報が境界情報によって示されている様子を示す図である。
【図１３】現在の構成または能力に一致しない情報が境界情報によって示されている異なる様子を示す図である。
【符号の説明】
【００５６】
１…ローカルエリアネットワーク（ＬＡＮ）、２…ネットワーク周辺機器、３…通信側端末機器、４…ディスプレイ、１１…ＣＰＵ、１２…画像形成部、１３…領域判断部、１４…白画像形成部、１５…ＲＡＭ、１６…ＲＯＭ、１７…ハードディスク（ＨＤＤ）、１８…アプリケーション、１９…ＤＬＬ、２０…最大構成時の画像情報、２１…構成要素テーブル、２２…表示制御部、２３…表示部、２４…インターフェース（Ｉ／Ｆ）、３１…ＣＰＵ、３２…領域判断部、３３…白画像形成部、３４…構成判断部、３５…情報保持部、３６…最大構成時の画像情報、３７…白画像情報、３８…構成情報、３９…構成要素テーブル、４０…インターフェース（Ｉ／Ｆ）。
【図１】
2006178911.tif 000010
【図２】
2006178911.tif 000011
【図３】
2006178911.tif 000012
【図４】
2006178911.tif 000013
【図５】
2006178911.tif 000014
【図６】
2006178911.tif 000015
【図７】
2006178911.tif 000016
【図８】
2006178911.tif 000017
【図９】
2006178911.tif 000018
【図１０】
2006178911.tif 000019
【図１１】
2006178911.tif 000020
【図１２】
2006178911.tif 000021
【図１３】
2006178911.tif 000022